(57)【特許請求の範囲】
【請求項１】
外箱内に弾性的に吊支した外槽と、回転中心軸を略鉛直方向に有し前記外槽内に回転自在に支持し洗濯物を収容し通気孔を有する内槽と、前記内槽の内底部に設け洗濯物を攪拌する攪拌翼と、前記内槽または前記攪拌翼を回転駆動する駆動手段と、負荷駆動手段を介して前記駆動手段などの操作を制御し、洗い、すすぎ、脱水などの各行程を制御する制御手段と、前記負荷駆動手段と前記制御手段とを一体的に形成した制御装置と、前記制御装置を両面から覆い保護する難燃性樹脂で構成された制御装置ケースおよび蓋体とを備え、前記制御装置ケースと前記蓋体のほぼ外表面全面を、それぞれ薄板鋼板で構成した前記制御装置ケースカバーおよび前記蓋体カバーとで被覆すると共に、前記蓋体には凹部を形成し、前記凹部の縦壁の一部を開口して風穴ルーバーを設け、前記蓋体カバーには穴部を設け、前記穴部は前記凹部上面に位置させ、かつ前記穴部の位置は前記風穴ルーバーの位置からずらした位置に配設した洗濯乾燥機。
【請求項２】
制御装置ケースカバーと蓋体カバーは、一面が開放された断面コ字状の箱体に形成し、開放面を対応させて制御装置を被覆し、前記制御装置ケースカバーと前記蓋体カバーの開放部の先端部を重なり合うように位置し、かつ金属板金の先端部を、前記制御装置ケースカバーまたは前記蓋体カバーにて保持した請求項１に記載の洗濯乾燥機。
【発明の詳細な説明】
【技術分野】
【０００１】
本発明は、負荷駆動手段と制御手段とを一体化した制御装置を有する洗濯乾燥機に関するものである。
【背景技術】
【０００２】
従来この種の洗濯乾燥機は、衣類攪拌翼や洗濯脱水槽等を回転駆動や乾燥送風手段の駆動をする駆動手段の制御を行う負荷駆動手段と、洗い、すすぎ、脱水、乾燥などの各行程を制御する制御手段とを、一体集中的に形成して保護カバーで覆い、洗濯乾燥機本体背面部に略垂直に配設している（例えば、特許文献１参照）。
【０００３】
図４は、特許文献１に記載された従来の洗濯乾燥機の縦断面図、図５は、同洗濯乾燥機の制御装置の構成図、図６は、同洗濯乾燥機の制御装置の取り付け図である。
【０００４】
図４に示すように、外箱１内に弾性的に吊支した外槽３と、回転中心軸４を略鉛直方向に有し前記外槽３内に回転自在に支持し洗濯物を収容する内槽５と、この内槽５の内底部に設け洗濯物を攪拌する攪拌翼６とを備える。
【０００５】
前記内槽５または攪拌翼６を回転駆動する駆動手段７を制御する負荷駆動手段（図示せず）と、洗い、すすぎ、脱水等の各行程を制御する制御手段（図示せず）とは、一体集中的に形成して制御装置８として構成し、前記外箱１の背面部に略垂直に配設し、外方背後より裏板１４で保護されている。
【０００６】
前記制御装置８は、図５に示すように、左側が開放された舟状の樹脂ケース９内部に装着され、左面側から制御装置８の表面を覆うように樹脂カバー１０を被覆し構成される。樹脂カバー１０には冷却用の複数の風穴ルーバー１１および側面部に、取り付け用ホルダー１２を一体に設けている。
【０００７】
制御装置８は、プリント基板１５と、電装部品１８や、高電流が流れる交流電源やモータ等と接続されたリード線の先端部に装着されるコネクター部１７等で構成される。
【０００８】
また、制御装置８、即ちプリント基板１５等は、樹脂カバー１０で保護するように覆われた状態で、図６に示すように、樹脂カバー１０の取り付け用ホルダー１２をビス１３により外箱１の背面に締着され、その後、外方背後より裏板１４を取り付けている。
【特許文献１】特開２００２−１５９７８７号公報
【発明の開示】
【発明が解決しようとする課題】
【０００９】
しかしながら、前記従来の構成では、電装部品１８の部品不良、コネクター１７部のガタツキ、或いは加締不良、水や蒸気の浸入等が原因で、万が一、電装部品１８やコネクター部１７から発火した場合、樹脂ケース９や樹脂カバー１０が類焼してしまうといった課題があった。
【００１０】
もちろん、樹脂ケース９や樹脂カバー１０は難燃グレードＶ０などの難燃性樹脂を使用するのが一般的であるが、発火の程度によっては熱により、樹脂ケース９や樹脂カバー１０などが熱変形や溶解して、隙間が発生し、炎が他の可燃性部材に類焼してしまうという不安全状態になる恐れがあった。
【課題を解決するための手段】
【００１１】
前記従来の課題を解決するために、本発明の洗濯乾燥機は、内槽または攪拌翼を回転駆動する駆動手段を制御する負荷駆動手段と、洗い、すすぎ、脱水などの各行程を制御する制御手段とを、一体的に形成して制御装置として構成し、前記制御装置を両面から覆い保護する難燃性樹脂で構成された制御装置ケースおよび蓋体とを備え、前記制御装置ケースと前記蓋体のほぼ外表面全面を、それぞれ薄板鋼板で構成した前記制御装置ケースカバーおよび前記蓋体カバーとで被覆すると共に、前記蓋体には凹部を形成し、前記凹部の縦壁
の一部を開口して風穴ルーバーを設け、前記蓋体カバーには穴部を設け、前記穴部は前記凹部上面に位置させ、かつ前記穴部の位置は前記風穴ルーバーの位置からずらした位置に配設したものである。
【００１２】
これによって、制御装置上の高電流が流れる電装部品の不品不良、コネクター部のガタツキ、或いはカシメ不良、水や蒸気の浸入等が原因で、万が一、電装部品やコネクター部から発火した場合でも、金属部材である薄板鋼板の板金加工部材の制御装置ケースカバーと蓋体カバーとで、発火が他部材への類焼拡大する事を防ぐことができる。
【発明の効果】
【００１３】
本発明の洗濯乾燥機は、制御装置からの発火という不安全状態が他の箇所に類焼することを防止する。
【発明を実施するための最良の形態】
【００１４】
第１の発明は、外箱内に弾性的に吊支した外槽と、回転中心軸を略鉛直方向に有し前記外槽内に回転自在に支持し洗濯物を収容し通気孔を有する内槽と、前記内槽の内底部に設け洗濯物を攪拌する攪拌翼と、前記内槽または前記攪拌翼を回転駆動する駆動手段と、負荷駆動手段を介して前記駆動手段などの操作を制御し、洗い、すすぎ、脱水などの各行程を制御する制御手段と、前記負荷駆動手段と前記制御手段とを一体的に形成した制御装置と、前記制御装置を両面から覆い保護する難燃性樹脂で構成された制御装置ケースおよび蓋体とを備え、前記制御装置ケースと前記蓋体のほぼ外表面全面を、それぞれ薄板鋼板で構成した前記制御装置ケースカバーおよび前記蓋体カバーとで被覆すると共に、前記蓋体には凹部を形成し、前記凹部の縦壁の一部を開口して風穴ルーバーを設け、前記蓋体カバーには穴部を設け、前記穴部は前記凹部上面に位置させ、かつ前記穴部の位置は前記風穴ルーバーの位置からずらした位置に配設したことにより、制御装置からの発火という不安全状態が他の箇所に類焼することを防止する。
【００１５】
また、制御装置からの熱を確実に逃がして冷却効果をもたらし、また、万一制御装置上の電装部材からの発火が発生した場合でも、風穴から外方に炎が出難くしたので、外部に類焼する危険性が減少する。
【００１６】
第２の発明は、特に第１の発明の制御装置ケースカバーと蓋体カバーとを、一面が開放された断面コ字状の箱体に形成し、開放面を対応させて制御装置を被覆し、前記制御装置ケースカバーと前記蓋体カバーの開放部の先端部を重なり合うように位置し、かつ金属板金の先端部を、前記制御装置ケースカバーまたは前記蓋体カバーにて保持したことにより、両部材の合わせ部分での隙間を無くし、類焼の危険性を確実に防止しつつ、板金部材の端面エッジを被覆して怪我等の発生を防止する。
【００１７】
（実施の形態１）
図１は、本発明の実施の形態１における洗濯乾燥機の制御装置の分解構成図、図２は同洗濯乾燥機の制御装置の嵌合関係を示す部分断面図、図３は同洗濯乾燥機の制御装置の部分断面図である。なお、従来と同じ構成部分は従来例と同じ符号で示し、詳細説明は省略する。
【００１８】
図１において、コネクター部１７や電装部品１８が実装され、かつ略扁平形状に形成された制御装置８は、略扁平形状の両面、即ち図１で右側から１面が開放された舟状の制御装置ケース９に収納し、左側から風穴ルーバー１１および取り付け用ホルダー１２等を形成した蓋体１０で覆い保護される。
【００１９】
更に制御装置ケース９の右方からは、制御装置ケース９の外表面全体を被覆するように
薄板鋼板の板金加工部材で構成した制御装置ケースカバー２０を装着し、他方、蓋体１０の左方からは、蓋体１０の外表面全体を被覆するように薄板鋼板の板金加工部材で構成した蓋体カバー２１を装着する。なお、蓋体カバー２１には、蓋体１０に設けた風穴ルーバー１１に対応する位置に、穴部２２を形成する。
【００２０】
図２の嵌合関係を示す部分断面図において、制御装置ケースカバー２０の側壁部２３は制御装置ケース９の外周壁２４に一体形成した第１の溝２５内部に収納され、蓋体カバー２１の側面壁２６はその先端部２７を制御装置ケース９の外周壁２４の第１の溝２５の外周に一体形成した第２の溝２８内部に収納される。
【００２１】
このとき、制御装置ケースカバー２０の側壁部２３の先端部２９と、蓋体カバー２１の側面壁２６の先端部２７とは、Ａで示した寸法が重なり合う設定としている。
【００２２】
さらに図３に示すように、蓋体１０には複数個の凹部３０を形成し、凹部３０の縦壁に形成した風穴ルーバー３１を設け、蓋体カバー２１には風穴ルーバー３１の位置に対応した複数個の穴部２２を設けて制御装置８の冷却通風路とし、穴部２２の配置は蓋体１０の凹部３０上面に位置すると共に、穴部２２と蓋体１０の凹部３０の風穴ルーバー３１との最短位置は、距離Ｂ寸法ずらした位置になるよう設定する。
【００２３】
以上のように構成された洗濯乾燥機について、以下その動作、作用、効果を説明する。
【００２４】
まず、制御装置８は略扁平形状に形成し外箱１の背面部に略垂直に配設し、難燃性樹脂で構成された舟状の制御装置ケース９と蓋体１０とで両面から覆い保護すると共に、前記制御装置８は、制御装置ケース９と蓋体１０のほぼ外表面全面を、薄板鋼板の板金加工部材とで被覆したので、制御装置８を構成する電装部品１８の劣化や部品不良、コネクター部１７のガタツキ、或いは加締不良、水や蒸気の浸入等が原因で、万が一、発火した場合でも金属部材の蓋体カバー２１および制御装置ケースカバー２０により遮蔽されるので外部に類焼してしまう危険性がない。
【００２５】
また、制御装置ケースカバー２０の側壁部２３の先端部２９と、蓋体カバー２１の側面壁２６の先端部２７とは、Ａで示した寸法が重なり合う設定としたので、金属薄板鋼板間に隙間が無いため、内部発火の外方への遮蔽効果を著しく高める効果がある。
【００２６】
また、板金部材である制御装置ケースカバー２０と蓋体カバー２１との金属端面である先端部２７、２９は刃先形状になっているため、触れると切り傷の危険性があるが、第１の溝２５あるいは第２の溝２８内部に収納されるので、安全な構成となっている。
【００２７】
さらに、蓋体１０に形成した複数個の凹部３０の縦壁の一部を開口して風穴ルーバー３１を設け、制御装置ケースカバー２０と蓋体カバー２１には風穴ルーバー３１の位置に対応した複数個の穴部２２を設け、前記穴部２２は、蓋体１０の凹部３０上面に位置させたので、制御装置８の冷却用の通風路を確保しつつ、かつ蓋体１０の風穴ルーバー３１の位置から最短の距離Ｂ寸法だけ、ずらした位置に配設したので、穴部２２からの炎が直接外部を類焼することがない。
【産業上の利用可能性】
【００２８】
以上のように、本実施の形態においては、万一制御装置に不安全状態が発生した場合でも、他の箇所への類焼を確実に防止できるものである。
【図面の簡単な説明】
【００２９】
【図１】本発明の実施の形態１における洗濯乾燥機の制御装置の分解構成図
【図２】同洗濯乾燥機の制御装置の嵌合関係を示す部分断面図
【図３】同洗濯乾燥機の制御装置の部分断面図
【図４】従来の洗濯乾燥機の縦断面図
【図５】同洗濯乾燥機の制御装置の構成図
【図６】同洗濯乾燥機の制御装置の取り付け図
【符号の説明】
【００３０】
１    外箱
３    外槽
５    内槽
６    攪拌翼
７    駆動手段
８    制御装置
９    制御装置ケース
１０  蓋体
２０  制御装置ケースカバー
２１  蓋体カバー
２２  穴部
２７、２９  先端部
３０  凹部
３１  風穴ルーバー
【図１】
0004803190.tif 000002
【図２】
0004803190.tif 000003
【図３】
0004803190.tif 000004
【図４】
0004803190.tif 000005
【図５】
0004803190.tif 000006
【図６】
0004803190.tif 000007